(57)【要約】【課題】            規格上ＤＶＤ−ＲＷに形成されている再生専用領域から再生制御情報を再生する場合において、当該再生制御情報に対応する検出信号とプッシュプル方式のトラッキングエラー信号とを共に十分な品質で得ることが可能な情報記録媒体を提供する。【解決手段】        プッシュプル方式によりサーボ制御が行われつつ光学的に情報の記録及び再生が行われるＤＶＤ−ＲＷ１において、蛇行しつつ連続して形成されているグルーブトラックであって、６３０ナノメートル以上６８０ナノメートル以下の波長を有する光ビームを用いて相変化方式により情報が記録及び再生されるグルーブトラックを有する記録再生領域ＤＡと、６０ナノメートル以上９０ナノメートル以下の深さを有する複数の位相ピットが蛇行して予め形成されており、光ビームによる情報再生のみが可能な再生専用領域ＲＡと、を備える。【選択図】          図１
2006066069.tif 000002
【特許請求の範囲】
【請求項１】
プッシュプル方式によりサーボ制御が行われつつ光学的に情報の記録及び再生が行われる情報記録媒体において、蛇行しつつ連続して形成されているグルーブトラックであって、６３０ナノメートル以上６８０ナノメートル以下の波長を有する光ビームを用いて相変化方式により前記情報が記録及び再生されるグルーブトラックを有する記録再生領域と、６０ナノメートル以上９０ナノメートル以下の深さを有する複数の位相ピットが蛇行して予め形成されており、前記光ビームによる情報再生のみが可能な再生専用領域と、を備えることを特徴とする情報記録媒体。
【請求項２】
請求項１に記載の情報記録媒体において、前記位相ピットの深さが７０ナノメートル以上８０ナノメートル以下であることを特徴とする情報記録媒体。
【請求項３】
請求項１又は２に記載の情報記録媒体において、前記再生専用領域を除く少なくとも前記記録再生領域内に、前記情報の前記情報記録媒体上の記録位置に対応するアドレス情報を示すプリピットが形成されていることを特徴とする情報記録媒体。
【請求項４】
請求項１から３のいずれか一項に記載の情報記録媒体において、蛇行して予め形成された複数の位相ピットを有すると共に前記光ビームによる情報の記録及び再生が共に不可能な不可能領域が、前記再生専用領域と前記記録再生領域との間の当該情報記録媒体上の領域に更に形成されていることを特徴とする情報記録媒体。
【請求項５】
請求項４に記載の情報記録媒体において、前記不可能領域内に前記プリピットが形成されていると共に、当該不可能領域内の前記プリピットにより示される前記アドレス情報は、前記情報記録媒体内における前記記録再生領域の先頭に対応する前記アドレス情報に基づいて設定されていることを特徴とする情報記録媒体。
【発明の詳細な説明】
【技術分野】
【０００１】
本発明は、情報記録媒体の技術分野に属し、より詳細には、いわゆるプッシュプル方式のトラッキングサーボ制御を伴う光学的な情報の記録及び再生が可能な情報記録媒体の技術分野に属する。
【背景技術】
【０００２】
近年、従来のＣＤ（Compact Disc）よりも数倍記録容量を高めたいわゆるＤＶＤが、映画一本分の画像及び音声が記録できる情報記録媒体として広く一般化しつつある。
【０００３】
そして、最近では、当該一般化しつつある再生専用のＤＶＤの他に、複数回の記録及び再生が可能であり、且つ再生専用のＤＶＤを再生するための情報再生装置においても再生可能なＤＶＤの規格として、いわゆるＤＶＤ−ＲW（DVD‐Re-recordable）に関する規格が策定されつつある。
【０００４】
ここで、現在策定されつつあるＤＶＤ−ＲＷの規格に準拠する情報記録媒体においては、当該ＤＶＤ−ＲＷ上には、幅約０．３マイクロメートル、深さ約２０ナノメートルの一定周波数で蛇行するグルーブトラックが、光学的な情報の記録及び再生が行われる情報トラックとして形成されていることとなっている。このとき、当該グルーブトラックを蛇行させているのは、当該蛇行の周波数を情報記録時に検出することにより、ＤＶＤ−ＲＷの回転に同期した正確な周波数を有する記録基準クロック信号を生成するためである。
【０００５】
一方、当該ＤＶＤ−ＲＷは基本的には再生専用のＤＶＤとほぼ同様の記録容量を有しているため、当該再生専用のＤＶＤに記録されている画像等を当該ＤＶＤ−ＲＷに不法複写することも可能となる。このとき、当該再生専用のＤＶＤに記録されている画像等は通常は著作権法上保護されており、従って上記したような不法複写が横行すると当該著作権者にとって著しく不利益となる。
【０００６】
そこで、この不法複写を防止する方策として、当該規格においては、再生専用のＤＶＤにおいて再生制御用の制御情報が記録されている領域に相当するＤＶＤ−ＲＷ上の領域を記録不能な領域とすることにより、当該不法複写を防止しようとしている。
【０００７】
これに加えて、当該規格においては、その記録不能な領域上に再生専用の領域を設け、ここに所定の再生制御情報等を予め記録しておくことが許容されている。そして、この再生制御情報等の記録には、再生専用のＤＶＤでも用いられているいわゆる位相ピットが使用されることが規格化されている。
【０００８】
他方、ＤＶＤ−ＲＷに対してレーザ光等の光ビームを用いて情報を光学的に記録再生する際には、いわゆるプッシュプル法によりトラッキングサーボ制御を行うことが規格化されている。
【発明の開示】
【発明が解決しようとする課題】
【０００９】
しかしながら、上述した再生専用の領域に位相ピットを形成して記録されている再生制御情報を再生する際にプッシュプル方式によりトラッキングエラー信号を得ようとすると、当該再生専用の領域に予め形成されているプリピット（すなわち、上記したグルーブトラックに隣接して形成されるランドトラック内に形成されているプリピットであり、再生専用領域以外のグルーブトラックへの情報の記録の際に用いられるアドレス情報（ＤＶＤ−ＲＷ上の記録位置を示すアドレス情報）を記録するためのプリピット）との干渉の影響により、当該トラッキングエラー信号と上記再生制御信号に対応する検出信号とを十分な品質で共に得ることができない場合があるという問題点があった。
【００１０】
そこで、本発明は、上述した問題点に鑑みて成されたもので、その課題は、上記したＤＶＤ−ＲＷ上に形成されている再生専用領域からそこに記録されている再生制御情報を再生する場合において、当該再生制御情報に対応する検出信号とプッシュプル方式のトラッキングエラー信号とを共に十分な品質で得ることが可能な情報記録媒体を提供することにある。
【課題を解決するための手段】
【００１１】
上記の課題を解決するために、請求項１に記載の発明は、プッシュプル方式によりサーボ制御が行われつつ光学的に情報の記録及び再生が行われる情報記録媒体において、蛇行しつつ連続して形成されているグルーブトラックであって、６３０ナノメートル以上６８０ナノメートル以下の波長を有する光ビームを用いて相変化方式により前記情報が記録及び再生されるグルーブトラックを有する記録再生領域と、６０ナノメートル以上９０ナノメートル以下の深さを有する複数の位相ピットが蛇行して予め形成されており、前記光ビームによる情報再生のみが可能な再生専用領域と、を備える。
【００１２】
よって、再生専用領域に形成されている位相ピットが６０ナノメートル以上９０ナノメートル以下の深さを有しているので、当該再生専用領域において、上記波長範囲を有する記録再生用の光ビームにより十分な出力レベルで再生すべき情報に対応する検出信号及びプッシュプル方式のサーボ制御用のエラー信号を共に取得することができる。
【００１３】
上記の課題を解決するために、請求項２に記載の発明は、請求項１に記載の情報記録媒体において、前記位相ピットの深さが７０ナノメートル以上８０ナノメートル以下であるように構成される。
【００１４】
よって、再生専用領域に形成されている位相ピットの深さが７０ナノメートル以上８０ナノメートル以下とされているので、より高い出力レベルで上記検出信号及びエラー信号を取得することができる。
【００１５】
上記の課題を解決するために、請求項３に記載の発明は、請求項１又は２に記載の情報記録媒体において、前記再生専用領域を除く少なくとも前記記録再生領域内に、前記情報の前記情報記録媒体上の記録位置に対応するアドレス情報を示すプリピットが形成されて構成される。
【００１６】
よって、プリピットにより再生専用領域からの上記検出信号及びエラー信号の取得が妨害されることを防止できる。
【００１７】
上記の課題を解決するために、請求項４に記載の発明は、請求項１から３のいずれか一項に記載の情報記録媒体において、蛇行して予め形成された複数の位相ピットを有すると共に前記光ビームによる情報の記録及び再生が共に不可能な不可能領域が、前記再生専用領域と前記記録再生領域との間の当該情報記録媒体上の領域に更に形成されて構成される。
【００１８】
よって、再生専用領域と記録再生領域との間に不可能領域が形成されているので、当該再生専用領域と不可能領域の存在により情報記録媒体に対する不正複写並びに不正再生を未然に防止できる。
【００１９】
上記の課題を解決するために、請求項５に記載の発明は、請求項４に記載の情報記録媒体において、前記不可能領域内に前記プリピットが形成されていると共に、当該不可能領域内の前記プリピットにより示される前記アドレス情報は、前記情報記録媒体内における前記記録再生領域の先頭に対応する前記アドレス情報に基づいて設定されて構成される。
【００２０】
よって、再生専用領域の存在に影響されずに正確に記録位置を把握しつつ記録再生領域に対して情報を記録することができる。
【発明の効果】
【００２１】
以上説明したように、請求項１に記載の発明によれば、情報記録媒体上の再生専用領域に形成されている位相ピットが６０ナノメートル以上９０ナノメートル以下の深さを有しているので、当該再生専用領域において、上記波長範囲を有する記録再生用の光ビームにより十分な出力レベルで再生すべき情報に対応する検出信号及びプッシュプル方式のサーボ制御用のエラー信号を共に取得することができる。
【００２２】
よって、再生のみが可能な再生専用領域を設けることにより当該情報記録媒体に対する不法複写並びに当該不法複写された情報の不法再生を防止することができると共に、当該再生専用領域内に当該位相ピットを用いて複写制御情報等の必要な情報を予め記録しておき更にこれを良好に再生することができる。
【００２３】
請求項２に記載の発明によれば、請求項１に記載の発明の効果に加えて、再生専用領域に形成されている位相ピットの深さが７０ナノメートル以上８０ナノメートル以下とされているので、より高い出力レベルで上記検出信号及びエラー信号を取得することができる。
【００２４】
請求項３に記載の発明によれば、請求項１又は２に記載の発明の効果に加えて、情報記録媒体における再生専用領域を除く少なくとも記録再生領域内にアドレス情報を示すプリピットが形成されているので、プリピットにより再生専用領域からの上記検出信号及びエラー信号の取得が妨害されることを防止できる。
【００２５】
請求項４に記載の発明によれば、請求項１から３のいずれか一項に記載の発明の効果に加えて、再生専用領域と記録再生領域との間に不可能領域が形成されているので、当該再生専用領域と不可能領域の存在により情報記録媒体に対する不正複写並びに不正再生を未然に確実に防止できる。
【００２６】
請求項５に記載の発明によれば、請求項４に記載の発明の効果に加えて、不可能領域内にプリピットが形成されていると共に、当該不可能領域内のプリピットにより示されるアドレス情報が記録再生領域の先頭に対応するアドレス情報に基づいて設定されているので、再生専用領域の存在に影響されずに正確に記録位置を把握しつつ記録再生領域に対して情報を記録することができる。
【発明を実施するための最良の形態】
【００２７】
次に、本発明に好適な実施の形態について、図１乃至図５を用いて説明する。なお、以下に説明する実施の形態は、近年規格化が進んでいる複数回書き換え可能なＤＶＤである情報記録媒体としてのＤＶＤ−ＲＷに対して本発明を適用した場合の実施の形態である。
【００２８】
また、図１は実施形態に係るＤＶＤ−ＲＷの平面図（製造工場出荷時（以下、単に出荷時と称する。）における平面図）であり、図２は後述するプリピットが形成されているＤＶＤ−ＲＷの構造を示す断面図であり、図３は後述する再生専用領域及び不可能領域の構造を示す平面拡大図であり、図４は本発明に係る再生専用領域の構造を示す断面図であり、図５はＤＶＤ−ＲＷにおける記録フォーマットの一部を示す図であり、図６は本発明に対応する実験結果を示すグラフ図である。
【００２９】
図１に示すように、実施形態に係るＤＶＤ−ＲＷ１は、出荷時においては、当該ＤＶＤ−ＲＷ１に対して記録情報（後述するプリ情報以外の本来ＤＶＤ−ＲＷ１に記録すべき画像情報等の情報をいう。以下同じ。）を記録する図示しない情報記録装置におけるスピンドルモータ（ＤＶＤ−ＲＷ１を予め設定されている回転数で回転させるためのスピンドルモータ）に固定する際に用いられるクランプ孔ＣＨがその中央に開口されており、更に同心円上に本発明に係る情報の再生のみが可能な再生専用領域ＲＡ及び情報の記録及び再生が共に不可能な不可能領域ＵＡのみが形成されている。
【００３０】
このとき、当該再生専用領域ＲＡ及び不可能領域ＵＡは、上述したようにＤＶＤ−ＲＷ１に対する不法複写を防止すべく、再生専用のＤＶＤにおいて再生制御用の制御情報が記録されている領域に相当するＤＶＤ−ＲＷ１上の領域を記録不能な領域としたものである。
【００３１】
なお、上記情報記録装置において、ＤＶＤ−ＲＷ１に記録情報を記録するに当たって最初に予め設定された初期化が実行された後においては、ＤＶＤ−ＲＷ１には、図１に破線で示すようにその内周側から、ＤＶＤ−ＲＷ１に対する記録情報の記録及び再生に用いられる制御情報（具体的には、当該記録及び再生を行う光ビームの強度を設定するための設定情報や当該記録に用いる記録制御情報等）が当該初期化により記録される制御情報領域ＲＩと、当該記録及び再生を開始するに当たっての開始情報が当該初期化により記録されるリードインエリアＬＩと、ＤＶＤ−ＲＷ１に記録されるべき情報が実際に記録される記録再生領域ＤＡと、が形成される（なお、図１においては、出荷時に既に形成されている再生専用領域ＲＡ及び不可能領域ＵＡと、当該初期化後に初めて形成される制御情報領域ＲＩ及びリードインエリアＬＩ並びに記録再生領域ＤＡとを区別するために、当該制御情報領域ＲＩ及びリードインエリアＬＩ並びに記録再生領域ＤＡを示す区画線を破線としている。）。
【００３２】
このとき、当該初期化後においては、上記再生専用領域ＲＡ及び不可能領域ＵＡは共にリードインエリアＬＩに含まれることとなる。
【００３３】
また、ＤＶＤ−ＲＷ１に対する記録情報の記録が終了することを示す終了情報が記録されるリードアウトエリアは、当該ＤＶＤ−ＲＷ１全体に対する情報の記録を終了する際に記録再生領域ＤＡの最外周部に形成されることとなる。
【００３４】
次に、上記記録再生領域ＤＡにおけるＤＶＤ−ＲＷ１の構造について、図２を用いて説明する。なお、図２（ａ）は記録再生領域ＤＡにおけるＤＶＤ−ＲＷ１の構造を示す斜視図であり、図２（ｂ）は当該斜視図における矢印方向からグルーブトラックを見た断面図である。
【００３５】
実施形態に係るＤＶＤ−ＲＷ１において、上記した情報記録装置における初期化後にリードインエリアＬＩとなるべき領域内（後述する再生専用領域ＲＡを除く。）及び記録再生領域ＤＡとなるべき領域内には、出荷時の段階で、ＤＶＤ−ＲＷ１上における情報の記録位置を示すアドレス情報がプリ情報として後述するプリピット４（一般には、ランドプリピットと称されることもある。）を形成して記録されている。
【００３６】
これに加えて、当該初期化後に記録再生領域ＤＡとなるべき領域内には、同様に出荷時の段階で、ＤＶＤ−ＲＷ１に対する記録情報の記録動作全般（当該ＤＶＤ−ＲＷ１の回転数制御を含む。）を制御するために用いられる記録クロック信号を上記情報記録装置において生成するための基準となる低周波数信号が、後述のグルーブトラック２を当該低周波数でウォブリングさせる（すなわち、当該低周波数に対応する周期で蛇行させる）ことで予め記録されている。
【００３７】
次に、具体的にその構造を説明する。
【００３８】
図２（ａ）及び（ｂ）において、ＤＶＤ−ＲＷ１は相変化薄膜からなる記録層１１を備えた複数回
の情報の書込みが可能な相変化型ＤＶＤ−ＲＷであり、記録情報が記録されるべきトラックであるグルーブトラック２と当該グルーブトラック２に再生光又は記録光としてのレーザビーム等の光ビームＢ（その波長は、６５０ナノメートルとされている。）を誘導するためのランドトラック３とが相互に相隣接して基板９上に形成されている。
【００３９】
また、各グルーブトラック２においては、特に図２（ｂ）に示すように、記録層１１を挟むように当該記録層１１を保護する機能を有する保護層５及び８と、記録された記録情報を再生する際に光ビームＢを反射するための反射層６と、記録層１１、保護層５及び８並びに反射層６を外気等から更に保護するための樹脂層９Ａ並びに保護膜７が、夫々基板９上に積層されて形成されている。
【００４０】
このとき、当該グルーブトラック２の深さは記録層１１の位置で２０ナノメートル以上３５ナノメートル以下とすることが規格化されている。また、相隣接するグルーブトラック２の中心線同士の間隔は０．７４マイクロメートルとされている。
【００４１】
一方、上記ランドトラック３には上記プリ情報に対応するプリピット４が出荷時の段階で形成されている。
【００４２】
更に、当該ＤＶＤ−ＲＷ１においては、グルーブトラック２を、上述したように上記記録クロック信号の生成に用いる上記低周波数（具体的には、１４０キロヘルツ）信号に相当するようにウォブリングさせている。
【００４３】
そして、ＤＶＤ−ＲＷ１に記録情報を記録する際には、上記情報記録装置においてグル−ブトラック２のウォブリングにおける低周波数信号を検出することにより、上記記録クロック信号を取得してＤＶＤ−ＲＷ１の記録動作全般を制御する。更にこれと並行して、当該情報記録装置においてプリピット４を検出することにより予めプリ情報を取得すると共に、それに基づいて記録光としての光ビ−ムＢの最適出力等を設定し、更に上記アドレス情報等を取得し、このアドレス情報に基づいて記録情報が対応する記録位置に記録される。
【００４４】
ここで、図２（ａ）に示すように、記録情報の記録時には、光ビームＢをその中心がグルーブトラック２の中心と一致するように照射してグルーブトラック２上に記録情報に対応する相変化ピットを形成することにより記録情報を形成する。
【００４５】
この時、光スポットＳＰの大きさは、図２（ａ）に示すように、その一部がグルーブトラック２だけでなくランドトラック３にも照射されるように設定される。そして、このランドトラック３に照射された光スポットＳＰの一部の反射光を用いてプッシュプル方式（ＤＶＤ−ＲＷ１の回転方向に平行な分割線により分割された光検出器を用いたラジアルプッシュプル方式）によりプリピット４からプリ情報を検出して当該プリ情報が取得されると共に、グルーブトラック２に照射されている光スポットＳＰの反射光を用いてグルーブトラック２から上記多重周波数信号が検出されて記録クロック信号の生成又はアドレス情報の取得が実行される。
【００４６】
また、光ビームＢをグルーブトラック２の位置変化（ＤＶＤ−ＲＷ１の回転に伴うその半径方向の位置変化）に追随させて正確に図１（ａ）に示す態様でグルーブトラック２に照射するためのいわゆるトラッキングサーボ制御も、上述したプッシュプル方式により行
われることが規格化されている。
【００４７】
次に、上記再生専用領域ＲＡにおけるＤＶＤ−ＲＷ１の構造について、図３及び図４を用いて説明する。なお、図３はＤＶＤ−ＲＷ１における再生専用領域ＲＡと不可能領域ＵＡとの境界付近の構造を示す平面拡大図であり、図４（ａ）は再生専用領域ＲＡにおいて後述する位相ピットが形成されている部分（図３におけるＡ−Ａ’部）の図２（ｂ）と同様の方向から見た断面図であり、図４（ｂ）は再生専用領域ＲＡにおいて当該位相ピットが形成されていない部分（図３におけるＢ−Ｂ’部）の図２（ｂ）と同様の方向から見た断面図であ
る。
【００４８】
上述した再生専用領域ＲＡには、図２に示したような連続するグルーブトラック２及びランドトラック３は形成されていない。そして、当該再生専用領域ＲＡには、ＤＶＤ−ＲＷ１から記録情報を再生する際に用いられる再生制御情報等が、図３に示すように上記グルーブトラック２と同様の周期で断続的にウォブリングして（当該ウォブリングの状態を図３中中心線ＣＬにより示す。）形成されている位相ピット（すなわち、再生専用のＤＶＤに形成されているものと同様の位相ピットであり、その位相ピットが形成されている領域に照射される光ビームＢが当該位相ピットにより回折されることで当該位相ピットの有無を判別して再生制御情報等を検出するための位相ピット）ＰＩにより記録されている。
【００４９】
このとき、再生専用領域ＲＡ内の位相ピットＰＩの深さは、記録層１１の位置で６０ナノメートル以上９０ナノメートル以下（望ましくは７０ナノメートル以上８０ナノメートル以下）とされている。また、ＤＶＤ−ＲＷ１の半径方向に相隣接する位相ピットＰＩの中心線同士の間隔は、グルーブトラック２の場合と同様に０．７４マイクロメートルとされている。
【００５０】
一方、当該位相ピットＰＩが形成されていない再生専用領域ＲＡは、図４（ｂ）に示すように全くの平面とされている。
【００５１】
更に、再生専用領域ＲＡには、上記プリピット４は形成されていない。これは、上記位相ピットＰＩとプリピット４とを同一の領域内に形成すると、互いに光学的に干渉し合って双方が検出できなくなるからである。
【００５２】
次に、上記不可能領域ＵＡにおけるＤＶＤ−ＲＷ１の構造について図３を用いて説明する。
【００５３】
上述した不可能領域ＵＡには、図３に示すように、再生専用領域ＲＡと同様に連続するグルーブトラック２及びランドトラック３は形成されていない。
【００５４】
そして、当該不可能領域ＵＡには位相ピットＰＩ’がウォブリングしつつ且つ不規則に形成されている。
【００５５】
このとき、当該位相ピットＰＩ’の深さは記録層１１の位置で２０ナノメートル以上３５ナノメートル以下（すなわち、グルーブトラック２の深さと同様の深さ）とされており、これにより、たとえ不可能領域ＵＡ内の記録層１１に光ビームＢにより相変化ピットが形成されても、その上部にある位相ピットＰＩ’との干渉によりその内容が検出できないように構成されている。
【００５６】
なお、不可能領域ＵＡには、上記プリピット４によりアドレス情報が記録されている。従って、記録情報の記録時において、ＤＶＤ−ＲＷ１の回転に伴って記録再生領域ＤＡに記録用の光ビームＢが到達する以前から、ＤＶＤ−ＲＷ１上の記録位置を情報記録装置において把握できることとなる。
【００５７】
なお、上述した位相ピットＰＩ及びＰＩ’を、一般に纏めてエンボスプリピットと称する場合もある。
【００５８】
次に、ＤＶＤ−ＲＷ１に上記リードインエリアＬＩ及び記録再生領域ＤＡが形成された後における当該ＤＶＤ−ＲＷ１の記録フォーマットについて、図５を用いて説明する。
【００５９】
図５に示すように、上記初期化後においては、リードインエリアＬＩ内には、その内周側から、全てゼロデータ（「００ｈ」）が記録されているイニシャルゾーンＩＺと、上記開始情報等を含む参照コードが記録されている参照コードゾーンＲＺと、全てゼロデータが記録されている第１バッファゾーンＢ１と、上述した再生専用領域ＲＡ及び不可能領域ＵＡと、全てゼロデータが記録されている第２バッファゾーンＢ２と、が形成されている。
【００６０】
このうち、上記プリピット４は、再生専用領域ＲＡを除くリードインエリアＬＩ内全てに形成されているが、当該プリピット４により示される上記アドレス情報については、図５左に示すように、イニシャルゾーンＩＺ、参照コードゾーンＲＺ及び第１バッファゾーンＢ１については内周側から順次インクリメント（ディジタル的に増大）するように設定されており、一方、不可能領域ＵＡ及び第２バッファゾーンＢ２については記録再生領域ＤＡの最内周部（すなわち、第２バッファゾーンＢ２の最外周部）から順次逆算してデクリメント（ディジタル的に減少）するように設定されている。従って、再生専用領域ＲＡの最内周部と最外周部とでは、当該アドレス情報は不連続となっている。
【００６１】
一方、上記アドレス情報に対応した記録情報におけるいわゆるセクタ番号については、図５右に示すように、再生専用領域ＲＡについては、出荷時に予め位相ピットＰＩにより記録されており、一方、再生専用領域ＲＡ及び不可能領域ＵＡを除くリードインエリアＬＩ内については、初期化後は、当該再生専用領域ＲＡに記録されているセクタ番号を含めて連続するように設定される。このとき、不可能領域ＵＡについては、その最内周部と最外周部との間で連続して変化するように設定されている。
【実施例】
【００６２】
次に、実施形態において、再生専用領域ＲＡにおける位相ピットＰＩの深さを、グルーブトラック２よりも深い６０ナノメートル以上９０ナノメートル以下（望ましくは７０ナノメートル以上８０ナノメートル以下）としていることについて図６を用いて説明する。
【００６３】
なお、図６は、再生専用領域ＲＡから検出される検出信号（当該位相ピットＰＩにより記録されている上記セクタ番号等に対応する検出信号）の出力レベル及びプッシュプル方式のトラッキングサーボ制御用のトラッキングエラー信号の出力レベルと位相ピットＰＩの深さとの関係を示すグラフ図（実験結果）である。なお、図６に示す実験結果は、光ビームＢの波長を６３０ナノメートル以上６８０ナノメートル以下とした場合の実験結果である。
【００６４】
上述したように、再生専用領域ＲＡにおいてトラッキングサーボ制御を正確に行いつつ当該再生専用領域ＲＡに予め記録されているセクタ情報等を検出するためには、上述した検出信号とトラッキングエラー信号とが共に良好な出力レベルで検出される必要があるが、図６に示すように、位相ピットＰＩの深さを６０ナノメートル以上９０ナノメートル以下（図６中Ｂ領域）とすれば、双方の信号を許容される出力レベルで検出することができることが判る。なお、その深さを７０ナノメートル以上８０ナノメートル以下（図６中Ａ領域）の範囲とすれば最も良好に双方の信号を検出することができる。
【００６５】
そこで、実施形態の位相ピットＰＩは、その深さが６０ナノメートル以上９０ナノメートル以下（望ましくは７０ナノメートル以上８０ナノメートル以下）とされているのである。
【００６６】
以上説明したように、実施形態のＤＶＤ−ＲＷ１によれば、再生専用領域ＲＡに形成されている位相ピットＰＩが６０ナノメートル以上９０ナノメートル以下の深さを有しているので、当該再生専用領域ＲＡにおいて、６３０ナノメートル以上６８０ナノメートル以下の波長範囲を有する光ビームＢにより十分な出力レベルで当該検出信号及びトラッキングエラー信号を取得することができる。
【００６７】
また、再生専用領域ＲＡに形成されている位相ピットＰＩの深さを７０ナノメートル以上８０ナノメートル以下とした場合には、より高い出力レベルで上記検出信号を及びトラッキングエラー信号を共に取得することができる。
【００６８】
更に、再生専用領域ＲＡを除く少なくとも記録再生領域ＤＡ内にプリピット４が形成されているので、プリピット４により再生専用領域ＲＡからの上記検出信号及びトラッキングエラー信号の取得が妨害されることを防止できる。
【００６９】
更にまた、再生専用領域ＲＡと記録再生領域ＤＡとの間に不可能領域ＵＡが形成されているので、当該再生専用領域ＲＡと不可能領域ＵＡの存在によりＤＶＤ−ＲＷ１に対する不正複写並びに不正再生を未然に確実に防止できる。
【００７０】
また、不可能領域ＵＡ内にプリピット４が形成されていると共に、当該不可能領域ＵＡ内のプリピット４により示されるアドレス情報が記録再生領域ＤＡの最内周部に対応するアドレス情報から逆算して設定されているので、再生専用領域ＲＡの存在に影響されずに正確に記録位置を把握しつつ記録再生領域ＤＡに対して情報を記録することができる。
【図面の簡単な説明】
【００７１】
【図１】実施形態に係るＤＶＤ−ＲＷの平面図である。
【図２】プリピットが形成されているＤＶＤ−ＲＷの構造を示す図であり、（ａ）は当該構造を示す斜視図であり、（ｂ）はその断面図である。
【図３】実施形態に係る再生専用領域及び不可能領域の構造を示す平面拡大図である。
【図４】実施形態に係る再生専用領域の構造を示す断面図であり、（ａ）は位相ピットが形成されている部分の断面図であり、（ｂ）は位相ピットが形成されていない部分の段面図である。
【図５】ＤＶＤ−ＲＷにおける記録フォーマットの一部を示す図である。
【図６】実施形態に対応する実験結果を示すグラフ図である。
【符号の説明】
【００７２】
１…ＤＶＤ−ＲＷ
２…グルーブトラック
３…ランドトラック
４…プリピット
５、８…保護層
６…反射層
７…保護膜
９…基板
９Ａ…樹脂層
１１…記録層
ＣＨ…クランプ孔
ＲＡ…再生専用領域
ＵＡ…不可能領域
ＲＩ…制御情報領域
ＬＩ…リードインエリア
ＤＡ…記録再生領域
Ｂ…光ビーム
ＳＰ…光スポット
ＰＩ、ＰＩ’…位相ピット
ＩＺ…イニシャルゾーン
ＲＺ…参照コードゾーン
Ｂ１…第１バッファゾーン
Ｂ２…第２バッファゾーン
【図１】
2006066069.tif 000003
【図２】
2006066069.tif 000004
【図３】
2006066069.tif 000005
【図４】
2006066069.tif 000006
【図５】
2006066069.tif 000007
【図６】
2006066069.tif 000008